【手続補正書】
【提出日】平成23年8月10日(2011.8.10)
【手続補正１】
【補正対象書類名】特許請求の範囲
【補正対象項目名】全文
【補正方法】変更
【補正の内容】
【特許請求の範囲】
【請求項１】
垂直方向に階層を有する構造物における各階層内の通行路を表す階層別地図データを記憶した地図データベースと、前記階層別地図データに基づいて指定された階の地図画像を表示する表示手段と、を備えた地図表示システムにおいて、
前記階層別地図データは、階を移動する各移動手段の起点と終点のノードデータと起点および終点を結ぶリンクデータとを含み、前記地図表示システムは、階を移動する所望の移動手段を選択する移動手段選択手段と、所望の移動先の階を指定する階指定手段と、表示制御手段と、を備え、
前記移動手段選択手段により選択された移動元の階における移動手段と、前記階指定手段により指定された階に基づいて、前記階指定手段により指定された移動先の階の地図画像を前記表示手段に表示する際、前記表示制御手段は、前記指定された移動先の階と、前記選択された移動手段による移動元の階から移動先の階までの水平方向の移動成分に基づいて、前記移動先の階における前記移動手段の終点位置が表示画面の所定位置になるように前記地図画像の表示座標を決定することを特徴とする地図表示システム。
【請求項２】
表示手段に表示される地図画像において、前記階を移動する移動手段を示すリンクの起点には、当該移動手段を表すアイコンを表示し、該アイコンの操作によって当該移動手段を選択するように前記移動手段選択手段を構成したことを特徴とする請求項１に記載の地図表示システム。
【請求項３】
前記アイコンの操作によって移動手段が選択された場合、当該移動手段を示すリンクをたどって移動できる階のリストを表示し、該リストから所望の階を指定するように前記階指定手段を構成したことを特徴とする請求項２に記載の地図表示システム。
【請求項４】
前記アイコンは、移動手段を利用できる位置に表示されることを特徴とする請求項２に記載の地図表示システム。
【請求項５】
前記階指定手段は、操作入力手段により構成され、前記選択された移動手段によって移動できない階が指定された場合は、その旨の警告を報知し再度階指定を行わせることを特徴とする請求項１に記載の地図表示システム。
【請求項６】
垂直方向に階層を有する構造物における各階層内の通行路を表す階層別地図データを記憶した地図データベースと、前記階層別地図データに基づいて指定された階の地図画像を表示する表示手段と、を備えた地図表示システムにおける地図表示方法において、
前記階層別地図データは、階を移動する各移動手段の起点と終点のノードデータと起点および終点を結ぶリンクデータとを含み、前記地図表示システムは、階を移動する所望の移動手段を選択する移動手段選択手段と、所望の移動先の階を指定する階指定手段と、表示制御手段と、を備え、
前記移動手段選択手段により選択された移動元の階における移動手段と、前記階指定手段により指定された階に基づいて、前記階指定手段により指定された移動先の階の地図画像を前記表示手段に表示する際、前記表示制御手段が、前記指定された移動先の階と、前記選択された移動手段による移動元の階から移動先の階までの水平方向の移動成分に基づいて、前記移動先の階における前記移動手段の終点位置が表示画面の所定位置になるように前記地図画像の表示座標を決定するステップを有することを特徴とする地図表示方法。
【請求項７】
垂直方向に階層を有する構造物における各階層内の通行路を表す階層別地図データを記憶した地図データベースを有する情報配信サーバにネットワークを介して接続され、前記情報配信サーバから取得した階層別地図データに基づいて指定された階の地図画像を表示する表示手段を有する地図表示装置において、
前記階層別地図データは、階を移動する各移動手段の起点と終点のノードデータと起点および終点を結ぶリンクデータとを含み、前記地図表示装置は、階を移動する所望の移動手段を選択する移動手段選択手段と、所望の移動先の階を指定する階指定手段と、表示制御手段と、を備え、
前記移動手段選択手段により選択された移動元の階における移動手段と、前記階指定手段により指定された階に基づいて、前記階指定手段により指定された移動先の階の地図画像を前記表示手段に表示する際、前記表示制御手段は、前記指定された移動先の階と、前記選択された移動手段による移動元の階から移動先の階までの水平方向の移動成分に基づいて、前記移動先の階における前記移動手段の終点位置が表示画面の所定位置になるように前記地図画像の表示座標を決定することを特徴とする地図表示装置。
【請求項８】
表示手段に表示される地図画像において、前記階を移動する移動手段を示すリンクの起点には、当該移動手段を表すアイコンを表示し、該アイコンの操作によって当該移動手段を選択するように前記移動手段選択手段を構成したことを特徴とする請求項７に記載の地図表示装置。
【請求項９】
前記アイコンの操作によって移動手段が選択された場合、当該移動手段を示すリンクをたどって移動できる階のリストを表示し、該リストから所望の階を指定するように前記階指定手段を構成したことを特徴とする請求項８に記載の地図表示装置。
【請求項１０】
前記アイコンは、移動手段を利用できる位置に表示されることを特徴とする請求項８に記載の地図表示装置。
【請求項１１】
前記階指定手段は、操作入力手段により構成され、前記選択された移動手段によって移動できない階が指定された場合は、その旨の警告を報知し再度階指定を行わせることを特徴とする請求項７に記載の地図表示装置。
【請求項１２】
情報配信サーバから取得した階層別地図データに基づいて指定された階の地図画像を表示する表示手段を有する地図表示装置とネットワークを介して接続され、垂直方向に階層を有する構造物における各階層内の通行路を表す階層別地図データを記憶した地図データベースを有する情報配信サーバにおいて、
前記階層別地図データは、階を移動する各移動手段の起点と終点のノードデータと起点および終点を結ぶリンクデータとを含み、前記情報配信サーバは表示制御手段を備え、前記地図表示装置は、階を移動する所望の移動手段を選択する移動手段選択手段と、所望の移動先の階を指定する階指定手段と、を備え、
前記移動手段選択手段により選択された移動元の階における移動手段と、前記階指定手段により指定された階に基づいて、前記階指定手段により指定された移動先の階の地図画像を前記表示手段に表示する際、前記表示制御手段は、前記指定された移動先の階と、前記選択された移動手段による移動元の階から移動先の階までの水平方向の移動成分に基づいて、前記移動先の階における前記移動手段の終点位置が表示画面の所定位置になるように前記地図画像の表示座標を決定し、前記地図表示装置に地図画像を提供することを特徴とする情報配信サーバ。
【請求項１３】
表示手段に表示される地図画像において、前記階を移動する移動手段を示すリンクの起点には、当該移動手段を表すアイコンを表示し、該アイコンの操作によって当該移動手段を選択するように前記移動手段選択手段を構成したことを特徴とする請求項１２に記載の情報配信サーバ。
【請求項１４】
前記アイコンの操作によって移動手段が選択された場合、当該移動手段を示すリンクをたどって移動できる階のリストを表示し、該リストから所望の階を指定するように前記階指定手段を構成したことを特徴とする請求項１３に記載の情報配信サーバ。
【請求項１５】
前記アイコンは、移動手段を利用できる位置に表示されることを特徴とする請求項１３に記載の情報配信サーバ。
【手続補正２】
【補正対象書類名】明細書
【補正対象項目名】００２２
【補正方法】変更
【補正の内容】
【００２２】
前記課題を解決するために、本願の請求項１にかかる発明は、
垂直方向に階層を有する構造物における各階層内の通行路を表す階層別地図データを記憶した地図データベースと、前記階層別地図データに基づいて指定された階の地図画像を表示する表示手段と、を備えた地図表示システムにおいて、
前記階層別地図データは、階を移動する各移動手段の起点と終点のノードデータと起点および終点を結ぶリンクデータとを含み、前記地図表示システムは、階を移動する所望の移動手段を選択する移動手段選択手段と、所望の移動先の階を指定する階指定手段と、表示制御手段と、を備え、
前記移動手段選択手段により選択された移動元の階における移動手段と、前記階指定手段により指定された階に基づいて、前記階指定手段により指定された移動先の階の地図画像を前記表示手段に表示する際、前記表示制御手段は、前記指定された移動先の階と、前記選択された移動手段による移動元の階から移動先の階までの水平方向の移動成分に基づいて、前記移動先の階における前記移動手段の終点位置が表示画面の所定位置になるように前記地図画像の表示座標を決定することを特徴とする。
【手続補正３】
【補正対象書類名】明細書
【補正対象項目名】００２７
【補正方法】変更
【補正の内容】
【００２７】
また、本願の請求項６にかかる発明は、
垂直方向に階層を有する構造物における各階層内の通行路を表す階層別地図データを記憶した地図データベースと、前記階層別地図データに基づいて指定された階の地図画像を表示する表示手段と、を備えた地図表示システムにおける地図表示方法において、
前記階層別地図データは、階を移動する各移動手段の起点と終点のノードデータと起点および終点を結ぶリンクデータとを含み、前記地図表示システムは、階を移動する所望の移動手段を選択する移動手段選択手段と、所望の移動先の階を指定する階指定手段と、表示制御手段と、を備え、
前記移動手段選択手段により選択された移動元の階における移動手段と、前記階指定手段により指定された階に基づいて、前記階指定手段により指定された移動先の階の地図画像を前記表示手段に表示する際、前記表示制御手段が、前記指定された移動先の階と、前記選択された移動手段による移動元の階から移動先の階までの水平方向の移動成分に基づいて、前記移動先の階における前記移動手段の終点位置が表示画面の所定位置になるように前記地図画像の表示座標を決定するステップを有することを特徴とする。
【手続補正４】
【補正対象書類名】明細書
【補正対象項目名】００２８
【補正方法】削除
【補正の内容】
【手続補正５】
【補正対象書類名】明細書
【補正対象項目名】００２９
【補正方法】削除
【補正の内容】
【手続補正６】
【補正対象書類名】明細書
【補正対象項目名】００３０
【補正方法】削除
【補正の内容】
【手続補正７】
【補正対象書類名】明細書
【補正対象項目名】００３１
【補正方法】削除
【補正の内容】
【手続補正８】
【補正対象書類名】明細書
【補正対象項目名】００３２
【補正方法】変更
【補正の内容】
【００３２】
また、本願の請求項７にかかる発明は、
垂直方向に階層を有する構造物における各階層内の通行路を表す階層別地図データを記憶した地図データベースを有する情報配信サーバにネットワークを介して接続され、前記情報配信サーバから取得した階層別地図データに基づいて指定された階の地図画像を表示する表示手段を有する地図表示装置において、
前記階層別地図データは、階を移動する各移動手段の起点と終点のノードデータと起点および終点を結ぶリンクデータとを含み、前記地図表示装置は、階を移動する所望の移動手段を選択する移動手段選択手段と、所望の移動先の階を指定する階指定手段と、表示制御手段と、を備え、
前記移動手段選択手段により選択された移動元の階における移動手段と、前記階指定手段により指定された階に基づいて、前記階指定手段により指定された移動先の階の地図画像を前記表示手段に表示する際、前記表示制御手段は、前記指定された移動先の階と、前記選択された移動手段による移動元の階から移動先の階までの水平方向の移動成分に基づいて、前記移動先の階における前記移動手段の終点位置が表示画面の所定位置になるように前記地図画像の表示座標を決定することを特徴とする。
【手続補正９】
【補正対象書類名】明細書
【補正対象項目名】００３３
【補正方法】変更
【補正の内容】
【００３３】
本願の請求項８にかかる発明は、請求項７にかかる地図表示装置において、表示手段に表示される地図画像において、前記階を移動する移動手段を示すリンクの起点には、当該移動手段を表すアイコンを表示し、該アイコンの操作によって当該移動手段を選択するように前記移動手段選択手段を構成したことを特徴とする。
【手続補正１０】
【補正対象書類名】明細書
【補正対象項目名】００３４
【補正方法】変更
【補正の内容】
【００３４】
本願の請求項９にかかる発明は、請求項８にかかる地図表示装置において、前記アイコンの操作によって移動手段が選択された場合、当該移動手段を示すリンクをたどって移動できる階のリストを表示し、該リストから所望の階を指定するように前記階指定手段を構成したことを特徴とする。
【手続補正１１】
【補正対象書類名】明細書
【補正対象項目名】００３５
【補正方法】変更
【補正の内容】
【００３５】
本願の請求項１０にかかる発明は、請求項８にかかる地図表示装置において、前記アイコンは、移動手段を利用できる位置に表示されることを特徴とする。
【手続補正１２】
【補正対象書類名】明細書
【補正対象項目名】００３６
【補正方法】変更
【補正の内容】
【００３６】
本願の請求項１１にかかる発明は、請求項７にかかる地図表示装置において、前記階指定手段は、操作入力手段により構成され、前記選択された移動手段によって移動できない階が指定された場合は、その旨の警告を報知し再度階指定を行わせることを特徴とする。
【手続補正１３】
【補正対象書類名】明細書
【補正対象項目名】００３７
【補正方法】変更
【補正の内容】
【００３７】
また、本願の請求項１２にかかる発明は、
情報配信サーバから取得した階層別地図データに基づいて指定された階の地図画像を表示する表示手段を有する地図表示装置とネットワークを介して接続され、垂直方向に階層を有する構造物における各階層内の通行路を表す階層別地図データを記憶した地図データベースを有する情報配信サーバにおいて、
前記階層別地図データは、階を移動する各移動手段の起点と終点のノードデータと起点および終点を結ぶリンクデータとを含み、前記情報配信サーバは表示制御手段を備え、前記地図表示装置は、階を移動する所望の移動手段を選択する移動手段選択手段と、所望の移動先の階を指定する階指定手段と、を備え、
前記移動手段選択手段により選択された移動元の階における移動手段と、前記階指定手段により指定された階に基づいて、前記階指定手段により指定された移動先の階の地図画像を前記表示手段に表示する際、前記表示制御手段は、前記指定された移動先の階と、前記選択された移動手段による移動元の階から移動先の階までの水平方向の移動成分に基づいて、前記移動先の階における前記移動手段の終点位置が表示画面の所定位置になるように前記地図画像の表示座標を決定し、前記地図表示装置に地図画像を提供することを特徴とする。
【手続補正１４】
【補正対象書類名】明細書
【補正対象項目名】００３８
【補正方法】変更
【補正の内容】
【００３８】
本願の請求項１３にかかる発明は、請求項１２にかかる情報配信サーバにおいて、表示手段に表示される地図画像において、前記階を移動する移動手段を示すリンクの起点には、当該移動手段を表すアイコンを表示し、該アイコンの操作によって当該移動手段を選択するように前記移動手段選択手段を構成したことを特徴とする。
【手続補正１５】
【補正対象書類名】明細書
【補正対象項目名】００３９
【補正方法】変更
【補正の内容】
【００３９】
本願の請求項１４にかかる発明は、請求項１３にかかる情報配信サーバにおいて、前記アイコンの操作によって移動手段が選択された場合、当該移動手段を示すリンクをたどって移動できる階のリストを表示し、該リストから所望の階を指定するように前記階指定手段を構成したことを特徴とする。
【手続補正１６】
【補正対象書類名】明細書
【補正対象項目名】００４０
【補正方法】変更
【補正の内容】
【００４０】
本願の請求項１５にかかる発明は、請求項１３にかかる情報配信サーバにおいて、前記アイコンは、移動手段を利用できる位置に表示されることを特徴とする。
【手続補正１７】
【補正対象書類名】明細書
【補正対象項目名】００４１
【補正方法】変更
【補正の内容】
【００４１】
請求項１にかかる発明においては、階層別地図データは、階を移動する各移動手段の起点と終点のノードデータと起点および終点を結ぶリンクデータとを含み、地図表示システムは、階を移動する所望の移動手段を選択する移動手段選択手段と、所望の移動先の階を指定する階指定手段と、表示制御手段と、を備え、移動手段選択手段により選択された移動元の階における移動手段と、階指定手段により指定された階に基づいて、階指定手段により指定された移動先の階の地図画像を前記表示手段に表示する際、表示制御手段は、指定された移動先の階と、前記選択された移動手段による移動元の階から移動先の階までの水平方向の移動成分に基づいて、移動先の階における移動手段の終点位置が表示画面の所定位置になるように前記地図画像の表示座標を決定する。
【手続補正１８】
【補正対象書類名】明細書
【補正対象項目名】００４２
【補正方法】変更
【補正の内容】
【００４２】
かかる構成によれば、移動手段による水平方向の移動成分がどんなに大きくても、移動先の地図においては移動手段の終点位置が画面の所定位置（例えば、画面中央）になるように表示座標が決定されるから、移動先の地図画像において移動手段の終点位置が必ず表示できることになる。従って、利用者は、所望の位置にある移動手段、例えば、エスカレータを用いて希望の階に移動した場合の地図画像を表示してエスカレータを降りた地点の周辺を含む通行路を容易に確認することができるようになる。
【手続補正１９】
【補正対象書類名】明細書
【補正対象項目名】００４７
【補正方法】変更
【補正の内容】
【００４７】
また、請求項６にかかる発明においては、請求項１〜請求項５にかかる地図表示システムにおける地図表示方法を提供することができるようになる。更に、請求項７〜請求項１１にかかる発明においては、請求項１〜請求項５にかかる地図表示システムを構成する地図表示装置を提供することができ、請求項１２〜請求項１５にかかる発明においては、請求項１〜請求項４にかかる地図表示システムを構成する情報配信サーバを提供することができるようになる。